(57)【要約】【課題】位相が互いに反転されたトランスの出力電圧の位相を遅延させアーク発生状態を検出することができるバックライトインバータ及びその駆動方法並びに液晶表示装置を提供する。【解決手段】入力電圧を第１次巻線と第２次巻線の巻線比で昇圧して第１電圧と第２電圧を出力するトランスと、前記第１電圧と第２電圧間の位相を所定分遅延させ、互いの振幅を加算して保護レベル信号に生成する保護レベル信号生成部と、前記保護レベル信号と基準電圧とを比較して検出信号を生成するアーク状態検出部と、前記検出信号に応答して前記トランスに供給される入力電圧の供給の維持及び停止を制御する駆動制御部とを有し、前記第１電圧と第２電圧間の位相遅延は、前記トランスの開回路による追加（ａｎｏｔｈｅｒ）位相遅延に応答して前記保護レベル信号の最大値が前記基準電圧より大きく設定される。【選択図】      図２
2008251534.tif 000002
【特許請求の範囲】
【請求項１】
入力電圧を第１次巻線と第２次巻線の巻線比で昇圧して第１電圧と第２電圧を出力するトランスと、
前記第１電圧と第２電圧間の位相を所定分遅延させ、互いの振幅を加算して保護レベル信号に生成する保護レベル信号生成部と、
前記保護レベル信号と基準電圧とを比較して検出信号を生成するアーク状態検出部と、
前記検出信号に応答して前記トランスに供給される入力電圧の供給の維持及び停止を制御する駆動制御部とを有し、
前記第１電圧と第２電圧間の位相遅延は、前記トランスの開回路による追加（ａｎｏｔｈｅｒ）位相遅延に応答して前記保護レベル信号の最大値が前記基準電圧より大きく設定されることを特徴とするバックライトインバータ。
【請求項２】
前記第１電圧と第２電圧は、互いに反転された位相を有することを特徴とする請求項１に記載のバックライトインバータ。
【請求項３】
前記保護レベル信号生成部は、前記第１電圧が供給される第１キャパシタと、
前記第２電圧が供給される第２キャパシタと、
前記第２キャパシタとアース端との間に位置し、前記第２キャパシタと連結され前記保護レベル信号を出力する検出点を形成する第３キャパシタと、
前記第１キャパシタと第２キャパシタとを電気的に接続し前記第１電圧と第２電圧間の位相を遅延させ前記検出点に提供する遅延ラインとを含むことを特徴とする請求項２に記載のバックライトインバータ。
【請求項４】
前記遅延ラインは、ジグザグ方式で配線され長さを調節することで前記位相遅延を発生させることを特徴とする請求項３に記載のバックライトインバータ。
【請求項５】
前記アーク状態検出部は、電源電圧を分圧して前記基準電圧を提供する基準電圧生成部と、
前記基準電圧と前記保護レベル信号とを比較、応答して前記検出信号を生成する比較器とを含むことを特徴とする請求項２に記載のバックライトインバータ。
【請求項６】
前記比較器は、前記保護レベル信号が基準電圧より大きいと前記検出信号をイネーブルさせて出力し、前記保護レベル信号が基準電圧より小さければ前記検出信号をディスエーブルさせて出力することを特徴とする請求項５に記載のバックライトインバータ。
【請求項７】
前記アーク状態検出部は、前記保護レベル信号を整流して前記比較器に供給する保護レベル信号受信部をさらに含むことを特徴とする請求項５記載のバックライトインバータ。
【請求項８】
入力直流電圧を用いて共通電圧、ガンマ電圧、及びゲートオン／オフ電圧を生成する電圧変換部と、
前記共通電圧、ガンマ電圧、及びゲートオン／オフ電圧を用いてデータを表示する表示パネル部と、
前記入力直流電圧を昇圧された交流電圧に変換して互いに位相が反転された第１電圧と第２電圧に出力し、前記第１電圧と第２電圧間の位相を所定分遅延させ、互いの振幅を加算した保護レベル信号を生成し、該保護レベル信号と基準電圧とを比較して検出信号を生成し、比較結果に従って前記入力直流電圧の供給の維持及び停止を制御するインバータと、
前記第１電圧と第２電圧にそれぞれ応答して前記表示パネル部に光を提供するランプ部とを有し、
前記第１電圧と第２電圧間の位相遅延は前記インバータの開回路による追加（ａｎｏｔｈｅｒ）位相遅延に応答して前記保護レベル信号の最大値が前記基準電圧より大きく設定されることを特徴とする液晶表示装置。
【請求項９】
前記第１電圧と第２電圧は、互いに反転された位相を有することを特徴とする請求項８に記載の液晶表示装置。
【請求項１０】
前記インバータは、入力電圧を第１次巻線と第２次巻線の巻線比に昇圧して第１電圧と第２電圧を出力するトランスと、
前記第１電圧と第２電圧間の位相を所定分遅延させ互いの振幅を加算して保護レベル信号に生成する保護レベル信号生成部と、
前記保護レベル信号と基準電圧とを比較して検出信号を生成するアーク状態検出部と、
前記検出信号に応答して前記トランスに供給される入力電圧の供給の維持及び停止を制御する駆動制御部とを含むことを特徴とする請求項８に記載の液晶表示装置。
【請求項１１】
前記保護レベル信号生成部は、前記第１電圧が供給される第１キャパシタと、
前記第２電圧が供給される第２キャパシタと、
前記第２キャパシタとアース端との間に位置し、前記第２キャパシタと連結され前記保護レベル信号を出力する検出点を形成する第３キャパシタと、
前記第１キャパシタと第２キャパシタとを電気的に接続し前記第１電圧と第２電圧間の位相を遅延させ前記検出点に提供する遅延ラインを含むことを特徴とする請求項１０に記載の液晶表示装置。
【請求項１２】
前記遅延ラインは、ジグザグ方式に配線され長さを調節することで前記位相遅延を発生させる請求項１１に記載の液晶表示装置。
【請求項１３】
トランスによって、入力電圧を第１次巻線と第２次巻線の巻線比で昇圧して第１電圧と第２電圧を出力する昇圧段階と、
前記第１電圧と第２電圧間の位相を遅延させ、互いの振幅を加算して保護レベル信号を生成する保護レベル信号生成段階と、
前記保護レベル信号と基準電圧とを比較して検出信号を生成する検出信号生成段階と、
前記検出信号に応答して前記トランスに供給される入力電圧の供給の維持及び停止を制御する駆動制御段階とを有することを特徴とするバックライトインバータ駆動方法。
【請求項１４】
前記保護レベル信号生成段階は、前記トランスの開回路による追加（ａｎｏｔｈｅｒ）位相遅延に応答して前記保護レベル信号の最大値が前記基準電圧より大きくなるように前記位相遅延を設定する段階を含むことを特徴とする請求項１３記載のバックライトインバータ駆動方法。
【請求項１５】
前記保護レベル信号生成段階は、前記第１電圧と第２電圧間の位相を遅延させる遅延ラインをジグザグ方式で配線して長さを調節することで前記位相遅延を発生させる段階を含むことを特徴とする請求項１４記載のバックライトインバータ駆動方法。
【発明の詳細な説明】
【技術分野】
【０００１】
本発明はバックライトインバータ及びその駆動方法並びに液晶表示装置に関し、特に、位相が互いに反転されたトランスの出力電圧の位相を遅延させアーク発生状態を検出することができるバックライトインバータ及びその駆動方法並びに液晶表示装置に関する。
【背景技術】
【０００２】
一般的に液晶表示装置は電極がそれぞれ形成された薄膜トランジスタ基板とカラーフィルタ基板を電極が形成された面が向き合うように配置し２つの基板の間に液晶を注入した後、電極に電圧を印加して生成される電界によって液晶の配向を動かすことで、それによって異なってくる光の透過率によって画像を表現する装置である。
【０００３】
液晶表示装置で、液晶は光を発生させる発光物質でなく入射される光の透過率を調節して画像を表示する物質である。従って、液晶表示装置は光を照射するバックライト装置を必要とする。
【０００４】
液晶表示装置のバックライト装置は複数個の蛍光ランプと蛍光ランプを駆動するインバータを含む。バックライトインバータは低直流電圧を交流電圧に変えてこれを再度トランスを用いて高電圧に変換して蛍光ランプに供給することで蛍光ランプを駆動する。
【０００５】
バックライトインバータは蛍光ランプを駆動するために高電圧を出力するので、蛍光ランプに接続された回路の開放（ｏｐｅｎ）、短絡（ｓｈｏｒｔ）またはアーク発生などの非正常的な駆動状態でインバータの動作を中断させる保護回路を含む。
【０００６】
バックライトインバータでアーク発生状態になるとトランスを燃やすか火災を発生させるという危険が存在しうる。ところで、アーク発生状態は回路が開放されていながら高電圧によって電流が流れている状態であるのでこれを感知するのが困難であるという問題点がある。
【発明の開示】
【発明が解決しようとする課題】
【０００７】
そこで、本発明は上記従来のバックライトインバータにおける問題点に鑑みてなされたものであって、本発明の目的は、位相が互いに反転されたトランスの出力電圧の位相を遅延させアーク発生状態を検出することができるバックライトインバータ及びその駆動方法並びに液晶表示装置を提供することにある。
【課題を解決するための手段】
【０００８】
上記目的を達成するためになされた本発明によるバックライトインバータは、入力電圧を第１次巻線と第２次巻線の巻線比で昇圧して第１電圧と第２電圧を出力するトランスと、前記第１電圧と第２電圧間の位相を所定分遅延させ、互いの振幅を加算して保護レベル信号に生成する保護レベル信号生成部と、前記保護レベル信号と基準電圧とを比較して検出信号を生成するアーク状態検出部と、前記検出信号に応答して前記トランスに供給される入力電圧の供給の維持及び停止を制御する駆動制御部とを有し、前記第１電圧と第２電圧間の位相遅延は、前記トランスの開回路による追加（ａｎｏｔｈｅｒ）位相遅延に応答して前記保護レベル信号の最大値が前記基準電圧より大きく設定されることを特徴とする。
【０００９】
ここで、前記第１電圧と第２電圧は、互いに反転された位相を有すること。
また、前記保護レベル信号生成部は、前記第１電圧が供給される第１キャパシタと、前記第２電圧が供給される第２キャパシタと、前記第２キャパシタとアース端との間に位置し、前記第２キャパシタと連結され前記保護レベル信号を出力する検出点を形成する第３キャパシタと、前記第１キャパシタと第２キャパシタとを電気的に接続し前記第１電圧と第２電圧間の位相を遅延させ前記検出点に提供する遅延ラインとを含むこと。
また、前記遅延ラインは、ジグザグ方式で配線され長さを調節することで前記位相遅延を発生させること。
【００１０】
また、前記アーク状態検出部は、電源電圧を分圧して前記基準電圧を提供する基準電圧生成部と、前記基準電圧と前記保護レベル信号とを比較、応答して前記検出信号を生成する比較器とを含むこと。
また、前記比較器は、前記保護レベル信号が基準電圧より大きいと前記検出信号をイネーブルさせて出力し、前記保護レベル信号が基準電圧より小さければ前記検出信号をディスエーブルさせて出力すること。
また、前記アーク状態検出部は、前記保護レベル信号を整流して前記比較器に供給する保護レベル信号受信部をさらに含むこと。
【００１１】
上記目的を達成するためになされた本発明による液晶表示装置は、入力直流電圧を用いて共通電圧、ガンマ電圧、及びゲートオン／オフ電圧を生成する電圧変換部と、前記共通電圧、ガンマ電圧、及びゲートオン／オフ電圧を用いてデータを表示する表示パネル部と、前記入力直流電圧を昇圧された交流電圧に変換して互いに位相が反転された第１電圧と第２電圧に出力し、前記第１電圧と第２電圧間の位相を所定分遅延させ、互いの振幅を加算した保護レベル信号を生成し、該保護レベル信号と基準電圧とを比較して検出信号を生成し、比較結果に従って前記入力直流電圧の供給の維持及び停止を制御するインバータと、前記第１電圧と第２電圧にそれぞれ応答して前記表示パネル部に光を提供するランプ部とを有し、前記第１電圧と第２電圧間の位相遅延は前記インバータの開回路による追加（ａｎｏｔｈｅｒ）位相遅延に応答して前記保護レベル信号の最大値が前記基準電圧より大きく設定されることを特徴とする。
【００１２】
上記目的を達成するためになされた本発明によるバックライトインバータ駆動方法は、トランスによって、入力電圧を第１次巻線と第２次巻線の巻線比で昇圧して第１電圧と第２電圧を出力する昇圧段階と、前記第１電圧と第２電圧間の位相を遅延させ、互いの振幅を加算して保護レベル信号を生成する保護レベル信号生成段階と、前記保護レベル信号と基準電圧とを比較して検出信号を生成する検出信号生成段階と、前記検出信号に応答して前記トランスに供給される入力電圧の供給の維持及び停止を制御する駆動制御段階とを有することを特徴とする。
【発明の効果】
【００１３】
本発明に係るバックライトインバータ及びその駆動方法並びに液晶表示装置によれば、位相が互いに反転されたトランスの出力電圧の位相を遅延させアーク発生状態を検出する構造を有するのでアーク発生によりインバータが毀損されるという従来の問題点を解消することのできるという効果がある。
【発明を実施するための最良の形態】
【００１４】
次に、本発明に係るバックライトインバータ及びその駆動方法並びに液晶表示装置を実施するための最良の形態の具体例を図面を参照しながら説明する。
【００１５】
図１は、本発明の一実施形態による液晶表示装置の構成ブロック図である。
図１に示すように、本発明の一実施形態による液晶表示装置１００は、表示パネル部１１０、ＤＣ−ＤＣ電圧変換部１２０、ＤＣ−ＡＣインバータ１３０及びランプ部１４０を含む。
【００１６】
表示パネル部１１０は、データ駆動部１１４、ゲート駆動部１１６、及び液晶表示パネル１１２を含む。データ駆動部１１４はＤＣ−ＤＣ電圧変換部１２０から供給されるガンマ電圧ＶＧＭＡを用いてデータ階調に該当する階調表示電圧を液晶表示パネル１１２に供給する。ゲート駆動部１１６はＤＣ−ＤＣ電圧変換部１２０から供給されるゲートオン／オフ電圧ＶＯＮ、ＶＯＦＦを液晶表示パネル１１２に供給する。
【００１７】
液晶表示パネル１１２は、ゲート駆動部１１６から供給されるゲートオン／オフ電圧ＶＯＮ、ＶＯＦＦに応答してデータ駆動部１１４から供給される階調表示電圧とＤＣ−ＤＣ電圧変換部１２０から供給される共通電圧ＶＣＯＭを液晶セルに印加してデータを表示する。
【００１８】
ＤＣ−ＤＣ電圧変換部１２０は、ＤＣ−ＤＣコンバータ１２２、共通電圧発生部１２４、及びガンマ電圧発生部１２６を含む。
ＤＣ−ＤＣコンバータ１２２は、外部から入力される直流電圧ＶＩＮのレベルを変換して共通電圧発生部１２４とガンマ電圧生成部１２６に供給する。共通電圧発生部１２４はＤＣ−ＤＣコンバータ１２４から供給される直流電圧を用いて共通電圧ＶＣＯＭを生成しこれを表示パネル部１１０に提供する。ガンマ電圧発生部１２６はＤＣ−ＤＣコンバータ１２２から供給される直流電圧を用いてガンマ電圧ＶＧＭＡを生成し、これを表示パネル部１１０に供給する。
【００１９】
ＤＣ−ＡＣインバータ１３０は、外部から入力される直流電圧ＶＩＮを交流電圧に変えてこれを再度トランスを用いて高電圧に変換してランプ部１４０に供給することでランプ部１４０を駆動する。
【００２０】
ランプ部１４０はＤＣ−ＡＣインバータ１３０から供給される電圧に応答して出力される光量を調節して液晶表示パネル１１２の後面から照射する。
【００２１】
図２は、図１に示すＤＣ−ＡＣインバータの本発明の一実施形態による回路図である。
図２を参照すると、ＤＣ−ＡＣインバータ１３０は駆動部１３１、駆動制御部１３２、トランス１３４、保護レベル信号生成部１３８及びアーク状態検出部１３６を含む。
【００２２】
駆動部１３１は、駆動制御部１３２から供給される制御信号ＣＮＴＬに応答して外部から入力される電圧ＶＩＮをトランス駆動電圧として供給し、また、駆動制御部１３２から供給される制御信号ＣＮＴＬに応答してトランス駆動電圧を供給するのを停止する。
【００２３】
駆動制御部１３２は、アーク状態検出部１３６から供給される検出信号ＤＥＴに応答して駆動部１３１を制御する制御信号ＣＮＴＬを生成しこれを通じて駆動部１３１を制御する。
このために駆動部１３１は、駆動制御部１３２に供給された検出信号ＤＥＴに応答して発生した制御信号ＣＮＴＬの制御下で外部入力電圧ＶＩＮをトランス１３４に伝送又はスイッチングするスイッチング手段（図示せず、例えばトランジスタ）を含む。
スイッチング手段は、制御信号ＣＮＴＬを制御端に受け、外部入力電圧ＶＩＮを入力端に受け、出力端がトランス１３４の第１次巻線Ｌ１１に接続された構成をとることができる。
【００２４】
トランス１３４は、第１次巻線Ｌ１１と第２次巻線Ｌ２１、Ｌ２２を含む。
トランス１３４は、駆動部１３１から供給されるトランス駆動電圧を第１次巻線Ｌ１１及び第２次巻線Ｌ２１、Ｌ２２の巻線比に昇圧してランプ１４０に供給する。本実施形態においてトランス１３４は一つの第１次巻線Ｌ１１に２つ第２次巻線Ｌ２１、Ｌ２２とする構造を例示したがこれに限定されるものではない。
【００２５】
一方、第２次巻線Ｌ２１、Ｌ２２はそれぞれの出力端子ＣＨ１、ＣＨ２、ＣＨ３、ＣＨ４がランプ部１４０のそれぞれ第１ランプ１４１、第２ランプ１４２、第３ランプ１４３、第４ランプ１４４に対応して互いに接続される。ここで、出力端子と接続していない第１〜第４ランプ１４１、１４２、１４３、１４４の他の電極は互いに接続されグランドにアースされる。
【００２６】
一つの第２次巻線Ｌ２１の出力端子ＣＨ１とＣＨ２は互いに位相が反転された第１交流電圧（第１電圧）及び第２交流電圧（第２電圧）を第１ランプ１４１、第２ランプ１４２にそれぞれ供給する。さらに一つの第２次巻線Ｌ２２の出力端子ＣＨ３とＣＨ４は互いに位相が反転された第１交流電圧及び第２交流電圧を第３ランプ１４３、第４ランプ１４４にそれぞれ供給する。ここで、第２次巻線Ｌ２１、Ｌ２２の出力端子ＣＨ１とＣＨ３は同一の位相の交流電圧（第１電圧）を出力し、第２次巻線Ｌ２１、Ｌ２２の出力端子ＣＨ２とＣＨ４は同一の位相の交流電圧（第２電圧）を出力する。
【００２７】
保護レベル信号生成部１３８は、第２次巻線Ｌ２１、Ｌ２２の出力端子ＣＨ１、ＣＨ２、ＣＨ３、ＣＨ４とランプ部１４０との間に位置し、トランス１３４のアーク発生状態を指示する複数の保護レベル信号ＰＬ１、ＰＬ２を生成してアーク状態検出部１３６に提供する。
【００２８】
より具体的には、保護レベル信号生成部１３８は、複数の保護レベル信号生成ユニット１３８ａ、１３８ｂを含む。例えば、保護レベル信号生成ユニット１３８ａは第１キャパシタＣ１１、第２キャパシタＣ１２、第３キャパシタＣ１３及び遅延ラインＬ１を含む。
【００２９】
第１キャパシタＣ１１と第２キャパシタＣ１２は一端が互いに位相が反転された交流電圧を出力する第２次巻線Ｌ２１の出力端子ＣＨ１、ＣＨ２にそれぞれ接続される。第３キャパシタＣ１３は一端が第２キャパシタＣ１２の他端に接続され、他端がグランドに接続される。第２キャパシタＣ１２と第３キャパシタＣ１３の接続ノードは保護レベル信号生成ユニット１３８ａの検出点Ａとして動作する。
【００３０】
遅延ラインＬ１は、第２キャパシタＣ１２の他端、即ち、検出点Ａと第１キャパシタＣ１１を電気的に接続する。ここで、遅延ラインＬ１は第２巻線Ｌ２１の出力端子ＣＨ１の出力電圧の位相を遅延させる機能を遂行する。位相遅延は遅延ラインＬ１の抵抗を大きくする方法、例えば、検出点Ａと第１キャパシタＣ１１を電気的に接続する電線パターンをジグザグ方式などで配線して人為的に遅延ラインＬ１を長く形成することで抵抗を大きくする方式で調節することができる。
【００３１】
一方、位相遅延の程度は合算波形の最大値がアーク状態検出部１３６で使用される基準電圧ＶＲＦＦより小さくなるように調節することが望ましい。合算波形は、検出点Ａに印加される出力端子ＣＨ１と出力端子ＣＨ２からの第１電圧及び第２電圧の電圧波形振幅を足して生成した波形である。
【００３２】
保護レベル信号生成ユニット１３８ｂは第１キャパシタＣ２１、第２キャパシタＣ２２、第３キャパシタＣ２３及び遅延ラインＬ２を含む。保護レベル信号生成ユニット１３８ｂの構成は保護レベル信号生成ユニット１３８ａの構成と同一であるので、詳細な説明は省略する。
【００３３】
アーク状態検出部１３６は保護レベル信号生成部１３８から供給される保護レベル信号ＰＬ１、ＰＬ２と基準電圧ＶＲＦＦとを比較してアーク状態発生がしているか否かを表示する検出信号ＤＥＴを生成する。
【００３４】
このため、アーク状態検出部１３６は、保護レベル信号受信部１３６ｂ、基準電圧生成部１３６ａ、及び比較器ＣＭＰを含む。より具体的には、保護レベル信号受信部１３６ｂは、保護レベル信号生成部１３８から供給される保護レベル信号ＰＬ１、ＰＬ２を整流（ｒｅｃｔｉｆｙ）し、ＯＲ演算して比較器ＣＭＰの非反転端子（＋）に提供する。
【００３５】
保護レベル信号受信部１３６ｂは、各保護レベル信号入力端１３６ｃ、１３６ｄと比較器ＣＭＰの非反転端子（＋）との間に位置する第１ダイオードＤ１、Ｄ３と保護レベル信号入力端１３６ｃ、１３６ｄとグランドとの間に位置する第２ダイオードＤ２、Ｄ４を含む。
【００３６】
基準電圧生成部１３６ａは、比較器ＣＭＰの反転端子（−）に基準電圧ＶＲＦＦを供給する。基準電圧ＶＲＥＦは保護レベル信号ＰＬ１、ＰＬ２がアーク発生状態を表示するか否かを判断する基準を提供する。基準生成部１３６ａは、電源電圧（ＶＣＣ）入力端とアース端との間に直列で接続される複数の抵抗Ｒ１、Ｒ２を含む。基準電圧生成部１３６ａは電源電圧ＶＣＣを分圧して基準電圧ＶＲＥＦを生成する。基準電圧ＶＲＥＦは複数の抵抗値Ｒ１、Ｒ２を調節して選択されることができる。
【００３７】
比較器ＣＭＰは、基準電圧生成部１３６ａから提供される基準電圧ＶＲＥＦと保護レベル信号生成部１３８から供給される保護レベル信号ＰＬ１、ＰＬ２を比較して検出信号ＤＥＴを生成する。例えば、比較器ＣＭＰは複数の保護レベル信号ＰＬ１、ＰＬ２のうち一つの保護レベル信号が基準電圧ＶＲＥＦより大きければ検出信号ＤＥＴをイネーブルさせて駆動制御部１３２に提供する。
【００３８】
また、比較器ＣＭＰは複数の保護レベルＰＬ１、ＰＬ２全部が基準電圧ＶＲＥＦより小さければ検出信号ＤＥＴをデセイブルさせ駆動制御部１３２に提供する。ここで、検出信号ＤＥＴがイネイブルされると、アーク発生状態を表示し、検出信号ＤＥＴがデセイブルされるとアークが発生していない状態を表示する。
【００３９】
図３〜図５は、図２のＤＣ−ＡＣインバータの動作を説明するための電圧波形図であり、図３は、第２次巻線の出力端子から出力される電圧波形図であり、図４は遅延ラインによって検出点（Ａ又はＢ）に供給される電圧波形図であり、図５はアーク発生の際、検出点に供給される電圧波形図である。
【００４０】
まず、図２と図３を参照すると、一つの第２次巻線Ｌ２１の出力端子ＣＨ１とＣＨ２は互いに位相が反転された電圧を出力する。第２次巻線Ｌ２１の出力端子ＣＨ１とＣＨ２から出力される互いに位相の反転された電圧の振幅を足すと互いに相殺され、“０”の振幅を有した合算波形ＳＵＭ０になる。
【００４１】
次に、図２と図４を参照すると、検出点Ａに供給される出力端子ＣＨ２の出力電圧と相違し、出力端子ＣＨ１の出力電圧は遅延ラインＬ１によって一定の位相遅延Ｄ１を有する。検出点Ａに供給される出力端子ＣＨ１とＣＨ２の電圧の振幅を足すと一定の振幅を有する合算波形ＳＵＭ１になる。ここで、合算波形ＳＵＭ１は保護レベル信号ＰＬ１としてアーク状態検出部１３６に入力される。合算波形ＳＵＭ１の最大値はアーク状態検出部１３６に使用される基準電圧ＶＲＥＦより小さいことが望ましい。
【００４２】
次に、図２と図５を参照すると、第２次巻線Ｌ２１に接続された回路が開回路し、アークが発生すると、出力端子ＣＨ１の出力電圧は遅延ラインＬ１による位相遅延Ｄ１のほかに、回路開放による位相遅延Ｄ２が追加的に発生する。
従って、検出点Ａに供給される出力端子ＣＨ１とＣＨ２の第１、第２電圧の振幅を足すと図４に示した合算波形ＳＵＭ１の最大値より大きい最大値を有する合算波形ＳＵＭ２になる。
ここで、合算波形ＳＵＭ２は、保護レベル信号ＰＬ１としてアーク状態検出部１３６に入力される。合算波形ＳＵＭ２の最大値はアーク状態検出部１３６に使用される基準電圧ＶＲＥＦより大きいことが望ましい。
【００４３】
即ち、本発明の一実施形態によるインバータ１００は、互いに位相の反転された電圧を出力する第２次巻線Ｌ２１、Ｌ２２の出力端子ＣＨ１、ＣＨ２を遅延ラインＬ１に接続して出力端子ＣＨ１の出力電圧（第１電圧）位相を遅延させ、アーク発生の際、開放された回路によってさらに出力端子ＣＨ１の出力電圧（第１電圧）位相が遅延されるように構成される。
【００４４】
この際、遅延ラインＬ１によって位相遅延された２つの出力電圧（第１、第２電圧）の合算波形ＳＵＭ１は基準電圧ＶＲＥＦより小さい最大値を有するが、遅延ラインＬ１による位相遅延にアーク発生の際に発生する位相遅延をさらに追加する場合の２つの出力電圧（第１、第２電圧）の合算波形ＳＵＭ２は基準電圧ＶＲＥＦより大きい最大値を有するようになる。従って、本発明の一実施形態によるインバータ１００は基準電圧ＶＲＥＦと保護レベル信号ＰＬ１、ＰＬ２の比較を通じてアーク発生状態の有無を検出することができる。
【００４５】
図６は、図１に示したＤＣ−ＡＣインバータの本発明の他の実施形態による回路図である。
図６を参照すると、本発明の他の実施形態によるＤＣ−ＡＣインバータ１３０’はトランス１３４’とそれに対応する保護レベル信号生成部１３８’、駆動部１３１’、駆動制御部１３２’（図示せず）、及びアーク状態検出部１３６’（図示せず）を含む。
【００４６】
トランス１３４’は２つのトランスＴＲＡＮＳ１、ＴＲＡＮＳ２を含む。第１トランスは第１次巻線Ｌ１１と第２次巻線Ｌ２１、Ｌ２２を含み、第２トランスＴＲＡＮＳ２はさらなる第１次巻線Ｌ１２と第２次巻線Ｌ２３、Ｌ２４を含む。
【００４７】
第２次巻線（Ｌ２１、Ｌ２２、Ｌ２３、Ｌ２４）はそれぞれの出力端子（ＣＨ１、ＣＨ２、ＣＨ３、ＣＨ４、ＣＨ５、ＣＨ６、ＣＨ７、ＣＨ８）がランプ部１４０’のそれぞれの第１ランプ１４１、第２ランプ１４２、第３ランプ１４３、第４ランプ１４４、第５ランプ１４５、第６ランプ１４６、第７ランプ１４７、第８ランプ１４８）に対応して互いに接続される。
【００４８】
一つの第２次巻線Ｌ２１の出力端子ＣＨ１、ＣＨ２は互いに位相が反転された第１交流電圧（第１電圧）及び第２交流電圧（第２電圧）を対応する第１ランプ１４１、第２ランプ１４２にそれぞれ供給する。残りの他の第２次巻線Ｌ２２、Ｌ２３、Ｌ２４の出力端子ＣＨ３とＣＨ４、ＣＨ５とＣＨ６、及びＣＨ７とＣＨ８は、それぞれ互いに位相が反転された交流電圧（第１、第２電圧）を対応するランプ（１４３、１４４、１４５、１４６、１４７、１４８）にそれぞれ供給する。
【００４９】
ここで、第２次巻線Ｌ２１、Ｌ２２、Ｌ２３、Ｌ２４の出力端子ＣＨ１、ＣＨ３、ＣＨ５、及びＣＨ７は同一の位相の交流電圧（第１電圧）を出力し、第２次巻線Ｌ２１、Ｌ２２、Ｌ２３、Ｌ２４の出力端子ＣＨ２、ＣＨ４、ＣＨ６及びＣＨ８は同一の位相の交流電圧（第２電圧）を出力する。
【００５０】
保護レベル信号生成部１３８’は、４個の保護レベル信号生成ユニットを含む。第１保護レベル信号生成ユニットはキャパシタＣ１１、キャパシタＣ１２、キャパシタＣ１３及び遅延ラインＬ１を含む。遅延ラインＬ１はキャパシタＣ１１とキャパシタＣ１２とを電気的に接続する。第２保護レベル信号生成ユニットはキャパシタＣ２１、キャパシタＣ２２、キャパシタＣ２３及び遅延ラインＬ２を含む。遅延ラインＬ２はキャパシタＣ２１とキャパシタＣ２２とを電気的に接続する。
【００５１】
第３保護レベル信号生成ユニットはキャパシタＣ３１、キャパシタＣ３２、キャパシタＣ３３及び遅延ラインＬ３を含む。遅延ラインＬ３はキャパシタＣ３１とキャパシタＣ３２とを電気的に接続する。第４保護レベル信号生成ユニットはキャパシタＣ４１、キャパシタＣ４２、キャパシタＣ４３及び遅延ラインＬ４を含む。遅延ラインＬ４はキャパシタＣ４１とキャパシタＣ４２とを電気的に接続する。
４個の保護レベル信号生成ユニットは、それぞれの検出点Ａ〜Ｄより採取する保護レベル信号（図示せず）をアーク状態検出部１３６’に供給する。
【００５２】
本実施形態によるＤＣ−ＡＣインバータ１３０’は２個のトランスＴＲＡＮＳ１、ＴＲＡＮＳ２を含む。ＤＣ−ＡＣインバータ１３０’の保護レベル信号生成ユニット１３８’は互いに異なるトランスＴＲＡＮＳ１、ＴＲＡＮＳ２の二つの出力端子（例えば、ＣＨ１とＣＨ６）を接続する遅延ライン（例えば、Ｌ１）を含む。ここで、２つの出力端子は互いに位相が反転された電圧（第１、第２電圧）を出力する。遅延ラインは選択される２つの出力端子の距離によって決定することができる。
【００５３】
本実施形態のＤＣ−ＡＣインバータ１３０’の他の構成及び動作は、図２及び図３の説明を通じて当業者が容易に類推することができるので詳細な説明は省略する。
【００５４】
本実施形態においてＤＣ−ＡＣインバータ１３０’は２つのトランスを含む場合を例示したがこれに限定されることがなく、ランプ部１４０に含まれたランプの個数によってインバータは３個以上のトランスを含むことができる。
【００５５】
尚、本発明は、上述の実施形態に限られるものではない。本発明の技術的範囲から逸脱しない範囲内で多様に変更実施することが可能である。
【図面の簡単な説明】
【００５６】
【図１】本発明の一実施形態による液晶表示装置の構成ブロック図である。
【図２】図１に示すＤＣ−ＡＣインバータの本発明の一実施形態による回路図である。
【図３】図２のＤＣ−ＡＣインバータの動作を説明するための電圧波形図で、第２次巻線の出力端子から出力される電圧波形図である。
【図４】図２のＤＣ−ＡＣインバータの動作を説明するための電圧波形図で、遅延ラインによって検出点に供給される電圧波形図である。
【図５】図２のＤＣ−ＡＣインバータの動作を説明するための電圧波形図で、アーク発生の際、検出点に供給される電圧波形図である。
【図６】図１に示したＤＣ−ＡＣインバータの本発明の他の実施形態による回路図である。
【符号の説明】
【００５７】
１００      液晶表示装置
１１０      表示パネル部
１１２      液晶表示パネル
１１４      データ駆動部
１１６      ゲート駆動部
１２０      ＤＣ−ＤＣ電圧変換部
１２２      ＤＣ−ＤＣコンバータ
１２４      共通電圧発生部
１２６      ガンマ電圧発生部
１３０、１３０’    ＤＣ−ＡＣインバータ
１３１、１３１’    駆動部
１３２      駆動制御部
１３４、１３４’    トランス
１３６、１３６’    アーク状態検出部
１３６ａ      基準電圧生成部
１３６ｂ      保護レベル信号受信部
１３８、１３８’    保護レベル信号生成部
１３８ａ、１３８ｂ    保護レベル信号生成ユニット
１４０、１４０’    ランプ部
１４１〜１４８    （第１〜第８）ランプ
【図１】
2008251534.tif 000003
【図２】
2008251534.tif 000004
【図３】
2008251534.tif 000005
【図４】
2008251534.tif 000006
【図５】
2008251534.tif 000007
【図６】
2008251534.tif 000008